(57)【要約】      （修正有）【課題】耐用年数を伸ばすためにケースの受ける衝撃力を緩衝し、かつ内部パーツに対して保護作用を果たす手回し形のチェーン式引締め器を提供する。【解決手段】チェーン式引締め器はケース１とケースの内部に設けられているスプロケットを含み、ケースは互いに連結される左半分ケースと右半分ケースを含み、左半分ケースは、非金属固体材料を用いて形成され、かつウォームとウォームホイールはそれぞれ左半分ケース内に固定され、右半分ケースは、ゴム材料を用いて形成され、かつスプロケットは右半分ケース内に設けられている。チェーン３の両端は右半分ケースの下端に延伸し、右半分ケースの内側には内部鉄板が設けられ、かつ該内部鉄板は右半分ケースの内側面に貼り合わされ、右半分ケースの外側には外部鉄板１０が設けられ、かつ外部鉄板は右半分ケースの外側面に貼り合わされ、左半分ケースは外部鉄板の緊締具に固定される。【選択図】図１
2016175702.tif 000002
【特許請求の範囲】
【請求項１】
内部がキャビティーであるケース（１）とケース（１）の内部に設けられているスプロケット（２）を含み、前記スプロケット（２）にはチェーン（３）が巻回され、前記ケース（１）内には、ウォーム（４）、スプラインシャフト（６）、ウォーム（４）と噛合するウォームホイール（５）が設けられており、前記スプロケット（２）はウォームホイール（５）に正対して設けられ、スプラインシャフト（６）の両端はそれぞれウォームホイール（５）とスプロケット（２）に連結され、前記ウォーム（４）の一端はケース（１）の側部に延伸し、ウォーム（４）の端部は工具に連結する回転部（４ａ）を有するチェーン式引締め器であって、
前記ケース（１）は互いに連結する左半分ケース（１ａ）と右半分ケース（１ｂ）を含み、前記左半分ケース（１ａ）は金属材料を用いて形成され、かつウォーム（４）とウォームホイール（５）はそれぞれ左半分ケース（１ａ）内に固定されており、
前記右半分ケース（１ｂ）は非金属固体材料を用いて形成され、かつスプロケット（２）は右半分ケース（１ｂ）内に設けられており、
前記チェーン（３）の両端は右半分ケース（１ｂ）の下端に延伸され、前記右半分ケース（１ｂ）の内側には内部鉄板（１４）が設けられ、かつ該内部鉄板（１４）と右半分ケース（１ｂ）の内側面が貼り合わされており、
前記右半分ケース（１ｂ）の外側には外部鉄板（１０）が設けられ、かつ該外部鉄板（１０）と右半分ケース（１ｂ）の外側面が貼り合わされており、
前記左半分ケース（１ａ）と外部鉄板（１０）は、左半分ケース（１ａ）、内部鉄板（１４）、右半分ケース（１ｂ）と外部鉄板（１０）の内部を貫通して設けられる緊締具（９）により互いに固定されている、ことを特徴とするチェーン式引締め器。
【請求項２】
前記右半分ケース（１ｂ）の外側面には貫通される複数の取付け孔（１ｂ１）が設けられ、各前記取付け孔（１ｂ１）内には円筒状のスペーサ（８）が設けられており、前記外部鉄板（１０）において、各取付け孔（１ｂ１）の位置に対応する箇所は、突出されたリング形の嵌め込み部（１０ａ）を有し、前記嵌め込み部（１０ａ）は前記取付け孔（１ｂ１）内に嵌め込まれ、前記緊締具（９）の端部と嵌め込み部（１０ａ）はねじにより連結される、ことを特徴とする請求項１に記載のチェーン式引締め器。
【請求項３】
前記右半分ケース（１ｂ）は、パネル状で、かつ左半分ケース（１ａ）に対して平行に設けられている第１非金属固定ブロック（１ｂ２）と第２非金属固定ブロック（１ｂ３）を含み、前記第１非金属固定ブロック（１ｂ２）と第２非金属固定ブロック（１ｂ３）は正対して設けられており、前記内部鉄板（１４）は前記第２非金属固定ブロック（１ｂ３）に当接し、前記外部鉄板（１０）は第１非金属固定ブロック（１ｂ２）に当接し、前記スペーサ（８）は第１非金属固定ブロック（１ｂ２）を貫通し、かつ第２非金属固定ブロック（１ｂ３）内に挿し込まれており、前記スプロケット（２）は第１非金属固定ブロック（１ｂ２）と第２非金属固定ブロック（１ｂ３）の間に設けられている、ことを特徴とする請求項２に記載のチェーン式引締め器。
【請求項４】
前記第１非金属固定ブロック（１ｂ２）と第２非金属固定ブロック（１ｂ３）の正対する片側は、凹んだ第１位置決めチャンバ（１ｂ２ａ）を有し、前記第２非金属固定ブロック（１ｂ３）の対応する片側は、凹んだ第２位置決めチャンバ（１ｂ３ａ）を有し、
前記スプロケット（２）は、第１位置決めチャンバ（１ｂ２ａ）と第２位置決めチャンバ（１ｂ３ａ）の間に位置し、かつチェーン（３）の両端は、第１非金属固定ブロック（１ｂ２）と第２非金属固定ブロック（１ｂ３）の連結箇所から下へ向いて延伸する、ことを特徴とする請求項３に記載のチェーン式引締め器。
【請求項５】
前記右半分ケース（１ｂ）の上端には連結レバー（１５）が設けられ、前記連結レバー（１５）の内端は第１非金属固定ブロック（１ｂ２）と第２非金属固定ブロック（１ｂ３）の間に挟持して設けられ、前記連結レバー（１５）の外端にはフック（１６）が連結されており、前記連結レバー（１５）の内端と右半分ケース（１ｂ）は、外部鉄板（１０）内を貫通して設けられているねじ（１７）により互いに固定される、ことを特徴とする請求項３または請求項４に記載のチェーン式引締め器。
【請求項６】
前記スペーサ（８）は金属材料を用いて形成される、ことを特徴とする請求項１または請求項２または請求項３または請求項４に記載のチェーン式引締め器。
【請求項７】
前記ウォーム（４）のケース（１）に延伸されていない端部にはロードセル（１１）が設けられ、前記右半分ケース（１ｂ）の側部には、ロードセル（１１）に連結され、かつロードセル（１１）により検出されたデータを表示するディスプレイ（７）が設けられ、前記ディスプレイ（７）は、前記第１非金属固定ブロック（１ｂ２）と第２非金属固定ブロック（１ｂ３）の間に挟持されている、ことを特徴とする請求項３または請求項４に記載のチェーン式引締め器。
【請求項８】
前記ディスプレイ（７）は四角ブロック状を呈し、前記第１非金属固定ブロック（１ｂ２）の側部は第１切欠部（１ｂ２ｃ）を有し、前記第２非金属固定ブロック（１ｂ３）の側部は第２切欠部（１ｂ３ｃ）を有し、前記ディスプレイ（７）は、第１切欠部（１ｂ２ｃ）と第２切欠部（１ｂ３ｃ）の間に位置し、かつ第１切欠部（１ｂ２ｃ）と第２切欠部（１ｂ３ｃ）の間に形成された形状はディスプレイ（７）の形状に係合する、ことを特徴とする請求項７に記載のチェーン式引締め器。
【請求項９】
前記右半分ケース（１ｂ）の外側面には貫通される複数の取付け孔（１ｂ１）が設けられ、前記外部鉄板（１０）には各取付け孔（１ｂ１）の位置に対応する貫通孔（１０ｂ）が設けられており、前記緊締具（９）は、前記左半分ケース（１ａ）の貫通孔、内部鉄板（１４）の貫通孔、右半分ケース（１ｂ）の取付け孔（１ｂ１）、外部鉄板（１０）の貫通孔を貫通し、かつ緊締具（９）は外部鉄板（１０）の外側の端部を貫通して固定される、ことを特徴とする請求項１に記載のチェーン式引締め器。
【請求項１０】
前記右半分ケース（１ｂ）は、パネル状で、かつ左半分ケース（１ａ）に対して平行に設けられている第１非金属固定ブロック（１ｂ２）と第２非金属固定ブロック（１ｂ３）を含み、前記第１非金属固定ブロック（１ｂ２）と第２非金属固定ブロック（１ｂ３）は正対して設けられており、前記内部鉄板（１４）は前記第２非金属固定ブロック（１ｂ３）に当接し、前記外部鉄板（１０）は第１非金属固定ブロック（１ｂ２）に当接し、前記スプロケット（２）は第１非金属固定ブロック（１ｂ２）と第２非金属固定ブロック（１ｂ３）の間に設けられる、ことを特徴とする請求項９に記載のチェーン式引締め器。
【請求項１１】
前記第１非金属固定ブロック（１ｂ２）と第２非金属固定ブロック（１ｂ３）の互いに正対する片側は凹んだ第１位置決めチャンバ（１ｂ２ａ）を有し、前記第２非金属固定ブロック（１ｂ３）の対応する片側は凹んだ第２位置決めチャンバ（１ｂ３ａ）を有し、前記スプロケット（２）は、第１非金属固定ブロック（１ｂ２）と第２非金属固定ブロック（１ｂ３）の間に位置し、かつチェーン（３）の両端は、第１位置決めチャンバ（１ｂ２ａ）と第２位置決めチャンバ（１ｂ３ａ）の連結する開口（１ｂ４）から下へ向いて延伸される、ことを特徴とする請求項１０に記載のチェーン式引締め器。
【請求項１２】
前記右半分ケース（１ｂ）にはユニバーサルジョイントによりフック（１６）が連結され、前記第１非金属固定ブロック（１ｂ２）と第２非金属固定ブロック（１ｂ３）の上端は凹口（１ｂ５）を有し、前記内部鉄板（１４）と外部鉄板（１０）において、前記凹口（１ｂ５）に位置する両側には取付けチャンバが形成され、前記ジョイントの下端は、取付けチャンバ内に位置し、かつ前記内部鉄板（１４）と外部鉄板（１０）にヒンジ接続される、ことを特徴とする請求項１１に記載のチェーン式引締め器。
【請求項１３】
前記ジョイントは第１ヒンジ接続部材（２１）と第２ヒンジ接続部材（２２）を含み、第１ヒンジ接続部材（２１）と第２ヒンジ接続部材（２２）は軸（２３）によりヒンジ接続され、前記第１ヒンジ接続部材（２１）は前記内部鉄板（１４）と外部鉄板（１０）とピン軸（２０）によりヒンジ接続されており、軸（２３）とピン軸（２０）は直交になり、前記第２ヒンジ接続部材（２２）上には連結レバー（１５）が連結され、前記連結レバー（１５）の下端は、第２ヒンジ接続部材（２２）の挿入孔内に挿着され、かつ連結レバー（１５）の下端は、外径が第２ヒンジ接続部材（２２）の挿入孔の孔径より大きい凸部（２４）を有し、連結レバー（１５）の上端はフック（１６）にヒンジ接続される、ことを特徴とする請求項１２に記載のチェーン式引締め器。
【請求項１４】
前記左半分ケース（１ａ）は取付けスタンド（１ａ１）と外蓋（１ａ２）を含み、前記取付けスタンド（１ａ１）の上半部は矩形を形成し、前記取付けスタンド（１ａ１）の下半部は上半部に突出する突出部（１ａ４）を有し、かつ前記緊締具（９）は突出部（１ａ４）に位置する、ことを特徴とする請求項１３に記載のチェーン式引締め器。
【発明の詳細な説明】
【技術分野】
【０００１】
本発明は機械の技術分野に属し、かつ引締め器に関し、特にチェーン式引締め器に関する。
【背景技術】
【０００２】
物流の作業では、貨物を輸送する際に、輸送過程でその貨物が揺れ、震動等により損傷または失われる状況を防止するために貨物を梱包している。チェーン引締め器は貨物の梱包に用いる道具である。
【０００３】
出願人が中国に出願した手動チェーン引締め器の駆動機構（出願番号が２０１２２０３６７０２３．２であり、登録番号がＣＮ２０２７８３８５０Ｕである）において、引締め器は内部がキャビティーのケースを含み、ケースの内部は、回転可能で、かつチェーンを巻回するスプロケットを有し、該駆動機構は、回転取手、ウォーム、ウォームホイールと案内部材を含み、回転取手は軸方向でケースに固定され、ウォームホイールはスプロケットに固定して連結されており、ウォームと回転取手は周方向に固定され、ウォームはウォームホイールから離れ、またはウォームホイールと噛合するとき、案内部材はウォームのウォームギヤに嵌め込まれている。
【０００４】
前記手動チェーン引締め器の駆動機構は使用されるとき、回転取手を回転させることで、ウォームが案内部材の作用で、前へ移動し、かつウォームホイールと噛合して動力を出力し、従って、チェーンが収縮されて、貨物の梱包目的を達成する。しかし、該手動チェーン引締め器の駆動機構は下記のような問題点が存在する。即ち、ケースを設置する目的は、ウォーム、ウォームホイールと案内部材に対して支持作用を果たして好ましい支持を達成させるためであるが、ケースは、通常金属材料を用いて形成されるため、重量が重く、更に作業または輸送中では、金属ケーシングは他の物体と衝突して大きい振動が発生して、該引締め器の内部パーツの正常な作動に影響をもたらしている。
【発明の概要】
【発明が解決しようとする課題】
【０００５】
本発明の目的は、従来技術に存在する前記問題を解決するために、ケースの受ける衝撃力を緩衝し、かつ内部パーツに対して保護作用を果たすチェーン式引締め器を提供することである。
【課題を解決するための手段】
【０００６】
本発明の目的は下記の技術手段によって実現される。チェーン式引締め器であって、内部がキャビティーであるケースとケース内に設けられているスプロケットを含み、前記スプロケットにはチェーンが巻回されている。前記ケース内には、ウォーム、スプラインシャフト、ウォームと噛合するウォームホイールが更に設けられ、前記スプロケットとウォームホイールは正対して設けられ、かつスプラインシャフトの両端はそれぞれウォームホイールとスプロケットに連結されており、前記ウォームの一端はケースの側部に延伸し、かつウォームの端部は道具と連結される回転部を有する。本発明は下記のような特徴を有する。前記ケースは互いに連結される左半分ケースと右半分ケースを含み、前記左半分ケースは金属材料を用いて形成され、かつウォームとウォームホイールはそれぞれ左半分ケース内に固定され、前記右半分ケースは非金属固体材料を用いて形成され、かつスプロケットは右半分ケース内に設けられている。前記チェーンの両端は右半分ケースの下端に延伸し、前記右半分ケースの内側には内部鉄板が設けられ、かつ該内部鉄板と右半分ケースの内側面が貼り合わされ、前記右半分ケースの外側には外部鉄板が設けられ、かつ該外部鉄板と右半分ケースの外側面が貼り合わされており、前記左半分ケースと外部鉄板は、左半分ケース、内部鉄板、右半分ケースと外部鉄板の内部を貫通して設けられている緊締具により互いに固定されている。
【０００７】
左半分ケースは金属材料を用いて形成されてウォームとウォームホイールに対して良い支持作用を果たすため、引締め器の作業時の安定性を高めている。右半分ケースは非金属固体材料を用いて形成されて、引締め器のケースが作業または輸送中に受ける衝撃を緩衝する作用を果たし、チェーン、スプロケット、ウォーム、ウォームホイールなどの部材がケースの衝突時に生じる振動を減少させるため、引締め器の内部パーツに対して効果的に保護し、引締め器の耐用年数と作業時の安定性を高めている。緊締具の作用により、内部鉄板と外部鉄板はそれぞれ右半分ケースを押圧する傾向を有して、右半分ケースが内部鉄板と外部鉄板の押圧により安定的に位置決めされるため、右半分ケースは衝撃力の作用で、安定的に弾性変形されて衝撃力を吸収することができ、引締め器の内部パーツに対する保護性を更に高め、引締め器の耐用年数と作業時の安定性を更に高めている。
【０００８】
前記チェーン式引締め器において、前記右半分ケースの外側面には貫通する複数の取付け孔が設けられ、各前記取付け孔内には円筒状のスペーサが設けられ、前記外部鉄板において、各取付け孔の位置に対応する箇所は突出されたリング形の嵌め込み部を有し、前記嵌め込み部は前記取付け孔内に嵌め込まれており、前記緊締具の端部と嵌め込み部はねじにより連結される。
【０００９】
取付け孔内にはスペーサが設けられて、緊締具と右半分ケースの連結が更に堅固になると同時に、スペーサが右半分ケースに対して更に支持作用を果たすため、右半分ケースは安定的に弾性変形を生じて衝撃力を吸収して、引締め器の内部パーツを更に保護し、従って、引締め器の耐用年数と作業時の安定性を高めている。嵌め込み部は取付け孔内に嵌め込まれて、鉄板と右半分ケースの接触面積を増加し、右半分ケースと左半分ケースの間の連結を更に安定にさせている。
【００１０】
前記手段を採用する以外に、下記のような手段を更に採用してもよい。前記右半分ケースの外側面には貫通される複数の取付け孔が設けられ、前記外部鉄板上には各取付け孔（１ｂ１）の位置に対応する貫通孔が設けられ、前記緊締具は、前記左半分ケース（１ａ）の貫通孔、内部鉄板の貫通孔、右半分ケースの取付け孔と外部鉄板の貫通孔を貫通し、かつ緊締具は外部鉄板の外側の端部を貫通して固定する。緊締具はボルトであり、かつ緊締具の端部はナットにより固定されており、該緊締具はリベットであってもよい。
【００１１】
前記チェーン式引締め器において、前記右半分ケースは、パネル状で、かつ左半分ケースに対して平行に設けられている第１非金属固定ブロックと第２非金属固定ブロックを含み、前記第１非金属固定ブロックと第２非金属固定ブロックは正対に設けられている。前記内部鉄板は前記第２非金属固定ブロックに当接され、前記外部鉄板は第１非金属固定ブロックに当接され、前記スペーサは第１非金属固定ブロックを貫通し、更に第２非金属固定ブロック内に挿し込まれており、前記スプロケットは第１非金属固定ブロックと第２非金属固定ブロックの間に位置する。
【００１２】
スプロケットは完全に第１非金属固定ブロックと第２非金属固定ブロックの間に包まれるため、スプロケットの各面が保護されて、スプロケットの耐用年数を高め、更に引締め器の耐用年数と作業時の安定性を高めている。
【００１３】
前記チェーン式引締め器において、前記第１非金属固定ブロックと第２非金属固定ブロックの正対する片側は凹んだ第１位置決めチャンバを有し、前記第２非金属固定ブロックの対応する片側は凹んだ第２位置決めチャンバを有し、前記スプロケットは第１位置決めチャンバと第２位置決めチャンバの間に位置し、かつチェーンの両端は第１非金属固定ブロックと第２非金属固定ブロックの連結箇所で下へ向いて延伸している。
【００１４】
即ち、チェーンとスプロケットの連結する部分は、完全に第１非金属固定ブロックと第２非金属固定ブロックの間に位置されて、スプロケットとチェーンを効果的に保護し、スプロケットとチェーンの耐用年数を高め、更に引締め器の耐用年数と作業時の安定性を高めている。
【００１５】
前記チェーン式引締め器において、前記右半分ケースの上端には連結レバーが設けられ、前記連結レバーの内端は第１非金属固定ブロックと第２非金属固定ブロックの間に挟持して設けられ、前記連結レバーの外端にはフックが連結され、前記連結レバーの内端と右半分ケースは外部鉄板の内部を貫通して設けられているねじにより互いに固定されている。
【００１６】
連結レバーの内端はそれぞれ第１非金属固定ブロックと第２非金属固定ブロックと当接し、フックと他の物品が衝突したとき、第１非金属固定ブロックと第２非金属固定ブロックは弾性変形を生じて該衝撃力を吸収し、更に連結レバーに対して保護作用を果たし、引締め器の耐用年数と作業時の安定性を高めている。
【００１７】
前記チェーン式引締め器では、前記スペーサは金属材料を用いて形成される。
スペーサは金属材料を用いて、緊締具の連結における安定性を増加して、効果的に右半分ケースの位置決め時の安定性を高くさせるため、右半分ケースが更に安定的に衝撃力を吸収することができ、全体の引締め器に対して効果的に保護し、引締め器の耐用年数と作業時の安定性を高めている。
【００１８】
フックの連結において下記のような技術手段を採用してもよい。前記右半分ケースにはジョイントを通じてフックが連結され、前記第１非金属固定ブロックと第２非金属固定ブロックの上端は凹口を有し、前記内部鉄板と外部鉄板は前記凹口の両側に位置して取付けチャンバを形成しており、前記ジョイントの下端は取付けチャンバ内に位置し、かつ前記内部鉄板と外部鉄板とヒンジ接続される。このような方式はケースの体積を減少し、構造がコンパクトになる。かつ、内部鉄板と外部鉄板は緊締具を通じて左半分ケースと連結すると、充分な強度を有して耐力を有することができる。
【００１９】
連結を容易にさせるために、左半分ケースは分離形に形成されてもよく、左半分ケースは取付けスタンドと外蓋を含み、前記取付けスタンドの上半部は矩形を形成し、前記取付けスタンドの下半部は上半部に突出する突出部を有し、かつ前記緊締具は突出部に位置する。このような形状は体積を更に減少させて、構造をコンパクトにさせる。
【００２０】
前記チェーン式引締め器では、前記ウォームにおいて、ケースに延伸されない端部にはロードセルが設けられており、前記右半分ケースの側部にはロードセルに連結し、かつロードセルにより検出されたデータを表示するディスプレイが設けられ、前記ディスプレイは前記第１非金属固定ブロックと第２非金属固定ブロックの間に挟持されている。
【００２１】
ウォームは回転過程で、ロードセルと当接され、従って、ロードセルは圧力を受けたとき、結束されたときの引張力を容易に検出し、かつディスプレイはロードセルにより検出されたデータを表示する。ディスプレイは第１非金属固定ブロックと第２非金属固定ブロックの間に挟持されるため、ディスプレイに対して緩衝と保護作用を果たすことができ、効果的にディスプレイの耐用年数を高めて、引締め器の耐用年数を高めている。
【００２２】
前記チェーン式引締め器において、前記ディスプレイは四角ブロック状を呈し、前記第１非金属固定ブロックの側部は第１切欠部を有し、前記第２非金属固定ブロックの側部は第２切欠部を有し、前記ディスプレイは第１切欠部と第２切欠部の間に位置し、かつ第１切欠部と第２切欠部の間に形成された形状とディスプレイの形状は係合する。
【発明の効果】
【００２３】
上述した構造を用いることで、ディスプレイと右半分ケースの接触面積を増加し、更に右半分ケースのディスプレイに対する緩衝と保護作用を高くし、効果的にディスプレイの耐用年数を高めて、引締め器の耐用年数を高めている。
【００２４】
従来の技術に比べて、本発明のチェーン式引締め器は以下の特徴を有する。
１、右半分ケースは非金属固体材料を用いて形成され、引締め器のケースが作業または輸送過程で受ける衝突に対して緩衝作用を果たして、チェーン、スプロケット、ウォーム、ウォームホイールなどの部材がケースの衝突時に生じる振動を減少し、それにより、引締め器の内部パーツに対して効果的に保護して、引締め器の耐用年数と作業時の安定性を高めている。
【００２５】
２、緊締具の作用により、内部鉄板と外部鉄板は右半分ケースを押圧する傾向を有するため、右半分ケースが内部鉄板と外部鉄板の押圧により、安定的に位置決めされて、右半分ケースが衝撃力の作用で安定的に弾性変形されて衝撃力を吸収し、更に引締め器の内部パーツに対して更によく保護し、従って、引締め器の耐用年数と作業時の安定性を高めている。
【００２６】
３、取付け孔内にはスペーサが設けられているため、緊締具と右半分ケースの連結における堅固性を増加させると同時に、スペーサは右半分ケースに対して更に支持作用を果たし、右半分ケースが更に安定的に弾性変形されて衝撃力を吸収し、従って、引締め器の内部パーツに対して更によく保護して、引締め器の耐用年数と作業時の安定性を高めている。
【図面の簡単な説明】
【００２７】
【図１】図１は、実施例１において、チェーン式引締め器の構造を示す図である。
【図２】図２は、実施例１において、チェーン式引締め器のディスプレイを外した後の分解構造を示す図である。
【図３】図３は、実施例１において、チェーン式引締め器の平面図である。
【図４】図４は、図３のＢ−Ｂ断面構造を示す図である。
【図５】図５は、図３のＣ−Ｃ断面構造を示す図である。
【図６】図６は、実施例１において、チェーン式引締め器の平面図である。
【図７】図７は、実施例１において、連結レバーと右半分ケースの接続構造を示す図である。
【図８】図８は、図６のＡ−Ａ断面構造を示す図である。
【図９】図９は、実施例１において、右半分ケースの構造を示す図である。
【図１０】図１０は、実施例１において、右半分ケースの断面構造を示す図である。
【図１１】図１１は、実施例２において、チェーン式引締め器の立体構造を示す図である。
【図１２】図１２は、実施例２において、分解構造を示す図である。
【図１３】図１３は、図１１における左側面図である。
【図１４】図１４は、図１３のＡ−Ａ断面構造を示す図である。
【図１５】図１５は、図１３のＢ−Ｂ断面構造を示す図である。
【図１６】図１６は、図１１において、外部鉄板１０を外した後の立体構造を示す図である。
【発明を実施するための形態】
【００２８】
以下は本発明の具体的実施例を図面に結合して、本発明の技術手段に対して詳細に説明するが、本発明はこれらの実施例に制限されない。
【００２９】
＜実施例１＞
図１から図８に示すように、本発明のチェーン式引締め器は、ケース１、スプロケット２、チェーン３、ウォーム４、ウォームホイール５、スプラインシャフト６、ディスプレイ７などから構成される。
【００３０】
図１と図２に示すように、ケース１の内部はキャビティーを有し、かつ該ケース１は互いに連結される左半分ケース１ａと右半分ケース１ｂから構成されている。本実施例では、左半分ケース１ａは、鉄、銅などの硬質の金属材料から形成され、右半分ケース１ｂは、非金属固体材料から形成される。非金属固体材料は、ゴム、プラスチックなどの弾性材料から選択され、本実施例ではゴム材料を用いている。
【００３１】
図２から図７に示すように、右半分ケース１ｂの内側と外側には、それぞれ内部鉄板１４と外部鉄板１０が設けられ、かつ内部鉄板１４と外部鉄板１０はそれぞれ右半分ケース１ｂの内側面と外側面に貼り合わされており、左半分ケース１ａと外部鉄板１０は、連続的に左半分ケース１ａ、内部鉄板１４、右半分ケース１ｂと外部鉄板１０内を貫通して設けられている緊締具９により互いに固定されている。緊締具９は、ねじ、ボルトなどの機械的締付部品であってもよい。
【００３２】
さらに好ましくは、右半分ケース１ｂには複数の取付け孔１ｂ１が設けられ、各取付け孔１ｂ１内にはそれぞれ円筒状のスペーサ８が固定されており、外部鉄板１０において、各取付け孔１ｂ１の位置に対応する箇所は突出されたリング形の嵌め込み部１０ａを有し、かつ各嵌め込み部１０ａはそれぞれ相応の取付け孔１ｂ１内に嵌め込まれている。緊締具９の数量は取付け孔１ｂ１の数量と同じで、かつその位置は１つずつ対応し、各緊締具９の端部はそれぞれ相応の取付け孔１ｂ１を貫通して対応する嵌め込み部１０ａとねじにより連結され、内部鉄板１４と外部鉄板１０は右半分ケース１ｂを押圧する傾向有し、これにより、右半分ケース１ｂは内部鉄板１４と外部鉄板１０の押圧により安定して位置決めされており、右半分ケース１ｂは衝撃力の作用で安定的に弾性変形されて衝撃力を吸収し、引締め器の内部のパーツは更に良く保護されて、引締め器の耐用年数と作業時の安定性を高めている。
【００３３】
具体的には、図１から図９に示すように、右半分ケース１ｂは、パネル状で、かつ左半分ケース１ａに対して平行に設けられている第１非金属固定ブロック１ｂ２と第２非金属固定ブロック１ｂ３を含み、更に第１非金属固定ブロック１ｂ２と第２非金属固定ブロック１ｂ３は正対して設けられている。第２非金属固定ブロック１ｂ３は左半分ケース１ａに当接し、かつ内部鉄板１４も第２非金属固定ブロック１ｂ３に当接し、外部鉄板１０は第１非金属固定ブロック１ｂ２に当接する。第１非金属固定ブロック１ｂ２の周囲には貫通する第１取付け孔１ｂ２ｂが設けられ、第２非金属固定ブロック１ｂ３には第２取付け孔１ｂ３ｂが設けられており、該第２取付け孔１ｂ３ｂの数量は第１取付け孔１ｂ２ｂの数量と同じであり、かつその位置は１つずつ対応し、互いに隣接する第１取付け孔１ｂ２ｂと第２取付け孔１ｂ３ｂには前記取付け孔１ｂ１が形成されている。スペーサ８の両端はそれぞれ第１取付け孔１ｂ２ｂと第２取付け孔１ｂ３ｂ内に位置し、かつ第１非金属固定ブロック１ｂ２と第２非金属固定ブロック１ｂ３はそれぞれスペーサ８と共に固定されている。
【００３４】
更に詳しく説明すると、スペーサ８は、鉄、銅など硬質の金属材料から形成されて、緊締具９とスペーサ８の連結における安定性を増加し、効果的に右半分ケース１ｂを位置決めする際の安定性を高くするため、右半分ケース１ｂが更に安定的に衝撃力を吸収することができ、これにより、全体の引締め器が効果的に保護されて、引締め器の耐用年数と作業時の安定性を高めている。
【００３５】
図８に示すように、前記ウォーム４とウォームホイール５はそれぞれ左半分ケース１ａ内に固定されている。ウォーム４は横方向で左半分ケース１ａ内に設けられ、ウォームホイール５はウォーム４の真下に位置して該ウォーム４と共に噛合されている。ウォーム４の一端は左半分ケース１ａを貫通し、かつ該端部は道具に連結される回転部４ａを有する。更に詳しく説明すると、回転部４ａは外スプラインを有し、かつ該回転部４ａはスプラインにより回転カバー１８に連結されており、回転部４ａの端面と回転カバー１８の間には位置復元バネ１９が設けられ、回転カバー１８と左半分ケース１ａは軸方向で共に固定されている。ケース１とウォーム４の他端が正対する側壁にはロードセル１１が固定して連結され、かつ該ロードセル１１はウォーム４に正対する。
【００３６】
図８に示すように、左半分ケース１ａ内には案内部材１２が更に設けられ、かつ該案内部材１２はウォーム４の真上に位置する。具体的に説明すると、案内部材１２の一端は左半分ケース１ａにヒンジ接続され、かつ該案内部材１２の一端と左半分ケース１ａの間にはバネ１３が設けられており、バネ１３の弾力作用で、案内部材１２の他端はウォーム４のウォームギヤに嵌め込まれる傾向を有する。本実施例では、案内部材１２の他端はウォーム４のウォームギヤと噛合する歯を有する。実際に使用するとき、回転部４ａの回転によりウォーム４を連動して回転させており、ウォーム４と案内部材１２が噛合することで、案内部材１２が移動しなくなり、従って、ウォーム４は案内部材１２に沿って、ウォームの４とウォームホイール５が噛合するまでに前へ移動して動力を伝達し、このとき、ウォーム４の端部はロードセル１１に当接して、ロードセル１１を押圧し、これにより、チェーン３の張緊力の大きさを容易に検出することができる。
【００３７】
図２と図５に示すように、スプロケット２とウォームホイール５は相対し、かつ該スプロケット２は右半分ケース１ｂ内に位置する。チェーン３はスプロケット２を巻回し、かつ該チェーン３の両端はそれぞれ右半分ケース１ｂの下端に延伸する。スプラインシャフト６は左半分ケース１ａから右半分ケース１ｂを挿貫し、かつスプラインシャフト６の両端はそれぞれウォームホイール５とスプロケット２と連結することにより、ウォームホイール５がスプロケット２を回転させて、チェーン３を収縮または開放させている。
【００３８】
本実施例では、図５と図１０に示すように、スプロケット２は第１非金属固定ブロック１ｂ２と第２非金属固定ブロック１ｂ３の間に位置し、第１非金属固定ブロック１ｂ２と第２非金属固定ブロック１ｂ３の正対する片側は凹んだ第１位置決めチャンバ１ｂ２ａを有し、第２非金属固定ブロック１ｂ３の対応する片側は凹んだ第２位置決めチャンバ１ｂ３ａを有する。スプロケット２は第１位置決めチャンバ１ｂ２ａと第２位置決めチャンバ１ｂ３ａの間に位置し、かつチェーン３の両端は第１非金属固定ブロック１ｂ２と第２非金属固定ブロック１ｂ３が連結する箇所から下へ向いて延伸することにより、スプロケット２の各面が保護されて、チェーン３の耐用年数を高くし、かつ引締め器の耐用年数と作業時の安定性を高めている。
【００３９】
図１、図６、図９と図１０に示すように、ディスプレイ７は右半分ケース１ｂの片側に固定され、該ディスプレイ７とロードセル１１は互いに連結し、かつロードセル１１により検出されたデータを表示することができる。具体的には、ディスプレイ７は四角ブロック状を呈し、第１非金属固定ブロック１ｂ２の側部は第１切欠部１ｂ２ｃを有し、第２非金属固定ブロック１ｂ３の側部は第２切欠部１ｂ３ｃを有する。ディスプレイ７は第１切欠部１ｂ２ｃと第２切欠部１ｂ３ｃの間に形成され、かつ第１切欠部１ｂ２ｃと第２切欠部１ｂ３ｃの間に形成されている形状とディスプレイ７の形状は係合し、これにより、ディスプレイ７は第１非金属固定ブロック１ｂ２と第２非金属固定ブロック１ｂ３の間に安定的に挟持されて、ディスプレイ７に対して緩衝と保護作用を果たすことができ、効果的にディスプレイ７の耐用年数を高くし、引締め器の耐用年数を高めている。
【００４０】
図１、図２、図６と図７に示すように、右半分ケース１ｂの上端には連結レバー１５が設けられ、連結レバー１５の内端は第１非金属固定ブロック１ｂ２と第２非金属固定ブロック１ｂ３の間に挟持され、連結レバー１５の外端にはフック１６が連結されており、連結レバー１５の内端と右半分ケース１ｂは外部鉄板１０内を貫通して設けられているねじ１７により互いに固定されている。連結レバー１５の内端はそれぞれ第１非金属固定ブロック１ｂ２と第２非金属固定ブロック１ｂ３に当接し、フック１６と他の物品が衝突されたとき、第１非金属固定ブロック１ｂ２と第２非金属固定ブロック１ｂ３は弾性変形が生じて、該衝撃力を吸収するため、連結レバー１５に対して保護作用を果たし、更に引締め器の耐用年数と作業時の安定性を高めている。
【００４１】
＜実施例２＞
図１１に示すように、実施例２におけるチェーン式引締め器の構造は実施例１における構造とほぼ同様であり、異なる点は、その１つ目は、ケース１の形状を変更し、かつディスプレイ７を外しており、その２つ目は、左半分ケース１ａ、内部鉄板１４、右半分ケース１ｂと外部鉄板１０の連結手段を変更しており、その３つ目は、フック１６とケース１の連結手段が変更された、ことである。
【００４２】
具体的には、図１２、図１３と図１５に示すように、右半分ケース１ｂは、パネル状で、かつ左半分ケース１ａに対して平行に設けられている第１非金属固定ブロック１ｂ２と第２非金属固定ブロック１ｂ３を含み、第１非金属固定ブロック１ｂ２と第２非金属固定ブロック１ｂ３は正対して設けられている。内部鉄板１４は第２非金属固定ブロック１ｂ３に当接し、外部鉄板１０は第１非金属固定ブロック１ｂ２に当接しており、スプロケット２は第１非金属固定ブロックｂ２と第２非金属固定ブロック１ｂ３の間に設けられている。右半分ケース１ｂの外側面には貫通される複数の取付け孔１ｂ１が設けられ、即ち、第１非金属固定ブロック１ｂ２と第２非金属固定ブロック１ｂ３には取付け孔１ｂ１が設けられ、及び内部鉄板１４には貫通孔が設けられている。外部鉄板１０には各取付け孔１ｂ１の位置に対応する貫通孔１０ｂが設けられ、左半分ケース１ａは、取付けスタンド１ａ１と外蓋１ａ２を含み、取付けスタンド１ａ１と外蓋１ａ２にも貫通孔が設けられ、緊締具９は、外部鉄板１０の貫通孔１０ｂ、第１非金属固定ブロック１ｂ２と第２非金属固定ブロック１ｂ３の取付け孔１ｂ１、内部鉄板１４の貫通孔、左半分ケース１ａ上の貫通孔を貫通して、外部鉄板、第１非金属固定ブロック１ｂ２、第２非金属固定ブロック１ｂ３、内部鉄板１４、取付けスタンド１ａ１と外蓋１ａ２を連結して一体に形成する。ケース１は緊締具により直接連結されており、緊締具の作用で、内部鉄板と外部鉄板はそれぞれ右半分ケース１ｂを押圧する傾向を有することで、右半分ケース１ｂが、内部鉄板１４と外部鉄板１０の押圧により安定的に位置決めされ、更に右半分ケース１ｂは衝撃力の作用で安定的に弾性変形を生じて衝撃力を吸収するため、引締め器の内部パーツを更によく保護することができる。取付けスタンド１ａ１の上半部は矩形を形成し、取付けスタンド１ａ１の下半部は、上半部に突出する突出部１ａ４を有し、かつ緊締具９は突出部１ａ４に位置する。第１非金属固定ブロック１ｂ２、第２非金属固定ブロック１ｂ３、内部鉄板１４と外部鉄板１０も固定に用いる相応の突出部を有する。
【００４３】
図１２、図１３、図１４と図１６に示すように、第１非金属固定ブロック１ｂ２と第２非金属固定ブロック１ｂ３の正対する片側は凹んだ第１位置決めチャンバ１ｂ２ａを有し、第２非金属固定ブロック１ｂ３の対応する片側は凹んだ第２位置決めチャンバ１ｂ３ａを有する。スプロケット２は第１非金属固定ブロック１ｂ２と第２非金属固定ブロック１ｂ３の間に位置し、かつチェーン３の両端は第１位置決めチャンバ１ｂ２ａと第２位置決めチャンバ１ｂ３ａが連結する箇所の開口１ｂ４から下へ向いて延伸している。右半分ケース１ｂにはジョイントによりフック１６が連結され、第１非金属固定ブロック１ｂ２と第２非金属固定ブロック１ｂ３の上端は凹口１ｂ５を有し、内部鉄板１４と外部鉄板１０は凹口１ｂ５の両側に位置して取付けチャンバを形成し、ジョイントの下端は取付けチャンバ内に位置し、かつ前記内部鉄板１４と外部鉄板１０にヒンジ接続されている。ジョイントは第１ヒンジ接続部材２１と第２ヒンジ接続部材２２を含み、第１ヒンジ接続部材２１と第２ヒンジ接続部材２２は軸２３によりヒンジ接続されており、前記第１ヒンジ接続部材２１、前記内部鉄板１４と外部鉄板１０はピン軸２０によりヒンジ接続され、軸２３とピン軸２０は直交する。前記第２ヒンジ接続部材２２上には連結レバー１５が連結され、前記連結レバー１５の下端は第２ヒンジ接続部材２２の挿入孔内に挿着され、かつ連結レバー１５の下端は外径が第２ヒンジ接続部材２２の挿入孔の孔径より大きい凸部２４を有し、連結レバー１５の上端とフック１６がヒンジ接続される。図１２と図１５に示すように、ウォーム４とウォームホイール５はそれぞれ左半分ケース１ａ内に固定されている。ウォーム４は左半分ケース１ａ内に設けられ、ウォームホイール５はウォーム４の真下に位置して該ウォーム４と一体に噛合される。ウォーム４の一端は左半分ケース１ａに延伸し、該端部は道具と連結する回転部４ａを有する。ウォームホイール５の両端にはそれぞれプラスチックから形成される第１滑り軸受環５１と第２滑り軸受環５２が設けられ、かつ第１滑り軸受環５１は外蓋１ａ２とウォームホイール５の側面の間に固定され、第２滑り軸受環５２は内部鉄板１４とウォームホイール５の他の片側の間に固定される。このようなウォームホイールの取付構造は、緊締具を用いて固定されて、左半分ケース１ａと右半分ケース１ｂの全体の取付けに役に立つ。
【００４４】
本明細書に記載された具体的な実施例は本発明の精神に対して例を挙げて説明したものである。本発明の本技術分野に属する技術者は上述した具体的な実施例に対していろんな修正、補充または類似の手段を用いて代替することができるが、本発明の精神または本発明の特許請求の範囲に記載された範囲を超えない。
【符号の説明】
【００４５】
１ ケース
１ａ 左半分ケース
１ａ１ 取付けスタンド
１ａ２ 外蓋
１ａ４ 突出部
１ｂ 右半分ケース
１ｂ１ 取付け孔
１ｂ２ 第１非金属固定ブロック
１ｂ２ａ 第１位置決めチャンバ
１ｂ２ｂ 第１取付け孔
１ｂ２ｃ 第１切欠部
１ｂ３ 第２非金属固定ブロック
１ｂ３ａ 第２位置決めチャンバ
１ｂ３ｂ 第２取付け孔
１ｂ３ｃ 第２切欠部
１ｂ４ 開口
１ｂ５ 凹口
２ スプロケット
３ チェーン
４ ウォーム
４ａ 回転部
５ ウォームホイール
５１ 第１滑り軸受環
５２ 第２滑り軸受環
６ スプラインシャフト
７ ディスプレイ
８ スペーサ
９ 緊締具
１０ 外部鉄板
１０ａ 嵌め込み部
１０ｂ 貫通孔
１１ ロードセル
１２ 案内部材
１３ バネ
１４ 内部鉄板
１５ 連結レバー
１６ フック
１７ ねじ
１８ 回転カバー
１９ 位置復元のバネ
２０ ピン軸
２１ 第１ヒンジ接続部材
２２ 第２ヒンジ接続部材
２３ 軸
２４ 凸部
【図１】
2016175702.tif 000003
【図２】
2016175702.tif 000004
【図３】
2016175702.tif 000005
【図４】
2016175702.tif 000006
【図５】
2016175702.tif 000007
【図６】
2016175702.tif 000008
【図７】
2016175702.tif 000009
【図８】
2016175702.tif 000010
【図９】
2016175702.tif 000011
【図１０】
2016175702.tif 000012
【図１１】
2016175702.tif 000013
【図１２】
2016175702.tif 000014
【図１３】
2016175702.tif 000015
【図１４】
2016175702.tif 000016
【図１５】
2016175702.tif 000017
【図１６】
2016175702.tif 000018